【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
第１の光電変換部と、第２の光電変換部と、前記第１の光電変換部及び前記第２の光電変換部に入射光を集光するマイクロレンズとをそれぞれ含む複数の画素が配された画素アレイを有する撮像装置の駆動方法であって、
第１のフレーム期間に、前記画素アレイの一部に含まれる複数の画素の各々から、前記第１の光電変換部において生成された信号電荷に基づく第１の信号と、少なくとも前記第２の光電変換部において生成された信号電荷に基づく第２の信号とをそれぞれ読み出し、
前記第１のフレーム期間とは別の第２のフレーム期間に、前記画素アレイの前記一部とは別の一部に含まれるとともに、前記第１のフレーム期間に信号電荷に基づく信号が読み出されない複数の画素の各々から、前記第１の光電変換部において生成された信号電荷及び前記第２の光電変換部において生成された信号電荷に基づく第３の信号を読み出す
ことを特徴とする撮像装置の駆動方法。
【請求項２】
第１の光電変換部と、第２の光電変換部と、前記第１の光電変換部及び前記第２の光電変換部に入射光を集光するマイクロレンズとをそれぞれ含む複数の画素が配された画素アレイを有する撮像装置の駆動方法であって、
第１のフレーム期間に、前記画素アレイの前記複数の画素の各々から、前記第１の光電変換部において生成された信号電荷に基づく第１の信号と、少なくとも前記第２の光電変換部において生成された信号電荷に基づく第２の信号とをそれぞれ読み出し、
前記第１のフレーム期間とは別の第２のフレーム期間に、前記画素アレイの前記複数の画素の各々から、前記第１のフレーム期間における前記画素の行走査とは異なる駆動方法により、前記第１の光電変換部において生成された信号電荷及び前記第２の光電変換部において生成された信号電荷に基づく第３の信号を読み出す
ことを特徴とする撮像装置の駆動方法。
【請求項３】
前記第２のフレーム期間では、前記第３の信号のみを読み出す
ことを特徴とする請求項２記載の撮像装置の駆動方法。
【請求項４】
前記第１のフレーム期間の少なくとも一部と、前記第２のフレーム期間で読み出される前記画素の前記第１の光電変換部及び前記第２の光電変換部における前記信号電荷の蓄積期間の少なくとも一部、及び／又は、前記第２のフレーム期間の少なくとも一部と、前記第１のフレーム期間で読み出される前記画素の前記第１の光電変換部及び前記第２の光電変換部における前記信号電荷の蓄積期間の少なくとも一部、が重なっている
ことを特徴とする請求項１乃至３のいずれか１項に記載の撮像装置の駆動方法。
【請求項５】
前記第１のフレーム期間における各行の行走査の期間よりも、前記第２のフレーム期間における各行の行走査の期間が短い
ことを特徴とする請求項１乃至４のいずれか１項に記載の撮像装置の駆動方法。
【請求項６】
前記第２の信号は、前記第１の光電変換部において生成された信号電荷と前記第２の光電変換部において生成された信号電荷との和に基づく
ことを特徴とする請求項１乃至５のいずれか１項に記載の撮像装置の駆動方法。
【請求項７】
前記第２の信号は、前記第２の光電変換部のみにおいて生成された信号電荷に基づく
ことを特徴とする請求項１乃至５のいずれか１項に記載の撮像装置の駆動方法。
【請求項８】
第１の光電変換部と、第２の光電変換部と、前記第１の光電変換部及び前記第２の光電変換部に入射光を集光するマイクロレンズとをそれぞれ含む複数の画素が配された画素アレイと、
前記画素アレイの一部に含まれる複数の画素の各々から、前記第１の光電変換部において生成された信号電荷に基づく第１の信号と、少なくとも前記第２の光電変換部において生成された信号電荷に基づく第２の信号とを読み出す第１のフレーム期間と、前記第１のフレーム期間とは別のフレーム期間であって、前記画素アレイの前記一部とは別の一部に含まれるとともに、前記第１のフレーム期間に信号電荷に基づく信号が読み出されない複数の画素の各々から、前記第１の光電変換部において生成された信号電荷及び前記第２の光電変換部において生成された信号電荷に基づく第３の信号を読み出す第２のフレーム期間と、を実行するように構成された走査回路部と
を有することを特徴とする撮像装置。
【請求項９】
第１の光電変換部と、第２の光電変換部と、前記第１の光電変換部及び前記第２の光電変換部に入射光を集光するマイクロレンズとをそれぞれ含む複数の画素が配された画素アレイと、
前記画素アレイの前記複数の画素の各々から、前記第１の光電変換部において生成された信号電荷に基づく第１の信号と、少なくとも前記第２の光電変換部において生成された信号電荷に基づく第２の信号とをそれぞれ読み出す第１のフレーム期間と、前記第１のフレーム期間とは別のフレーム期間に、前記画素アレイの前記複数の画素の各々から、前記第１のフレーム期間における前記画素の行走査とは異なる駆動方法により、前記第１の光電変換部において生成された信号電荷及び前記第２の光電変換部において生成された信号電荷に基づく第３の信号を読み出す第２のフレーム期間と、を実行するように構成された走査回路部と
を有することを特徴とする撮像装置。
【請求項１０】
前記走査回路部は、前記第１のフレーム期間の少なくとも一部と、前記第２のフレーム期間で読み出される前記画素の前記第１の光電変換部及び前記第２の光電変換部における前記信号電荷の蓄積期間の少なくとも一部、及び／又は、前記第２のフレーム期間と、前記第１のフレーム期間で読み出される前記画素の蓄積期間の少なくとも一部、が重なるように、前記蓄積期間を実行するように更に構成されている
ことを特徴とする請求項８又は９記載の撮像装置。
【請求項１１】
前記第１のフレーム期間における各行の行走査の期間よりも、前記第２のフレーム期間における各行の行走査の期間が短い
ことを特徴とする請求項８乃至１０のいずれか１項に記載の撮像装置。
【請求項１２】
請求項８乃至１１のいずれか１項に記載の撮像装置と、
前記撮像装置の出力する信号の処理を行う信号処理部と
を有することを特徴とする撮像システム。
【請求項１３】
前記信号処理部は、前記第１のフレーム期間で取得した前記第１の信号及び前記第２の信号に基づいて焦点検出を行う
ことを特徴とする請求項１２記載の撮像システム。
【請求項１４】
前記信号処理部は、前記第２のフレーム期間で取得した前記第３の信号のみに基づいて画像を形成する
ことを特徴とする請求項１２又は１３記載の撮像システム。
【手続補正２】
【補正対象書類名】明細書
【補正対象項目名】０００７
【補正方法】変更
【補正の内容】
【０００７】
本発明の一観点によれば、第１の光電変換部と、第２の光電変換部と、前記第１の光電変換部及び前記第２の光電変換部に入射光を集光するマイクロレンズとをそれぞれ含む複数の画素が配された画素アレイを有する撮像装置の駆動方法であって、第１のフレーム期間に、前記画素アレイの一部に含まれる複数の画素の各々から、前記第１の光電変換部において生成された信号電荷に基づく第１の信号と、少なくとも前記第２の光電変換部において生成された信号電荷に基づく第２の信号とをそれぞれ読み出し、前記第１のフレーム期間とは別の第２のフレーム期間に、前記画素アレイの前記一部とは別の一部に含まれるとともに、前記第１のフレーム期間に信号電荷に基づく信号が読み出されない複数の画素の各々から、前記第１の光電変換部において生成された信号電荷及び前記第２の光電変換部において生成された信号電荷に基づく第３の信号を読み出す撮像装置の駆動方法が提供される。
【手続補正３】
【補正対象書類名】明細書
【補正対象項目名】０００８
【補正方法】変更
【補正の内容】
【０００８】
また、本発明の他の一観点によれば、第１の光電変換部と、第２の光電変換部と、前記第１の光電変換部及び前記第２の光電変換部に入射光を集光するマイクロレンズとをそれぞれ含む複数の画素が配された画素アレイを有する撮像装置の駆動方法であって、第１のフレーム期間に、前記画素アレイの前記複数の画素の各々から、前記第１の光電変換部において生成された信号電荷に基づく第１の信号と、少なくとも前記第２の光電変換部において生成された信号電荷に基づく第２の信号とをそれぞれ読み出し、前記第１のフレーム期間とは別の第２のフレーム期間に、前記画素アレイの前記複数の画素の各々から、前記第１のフレーム期間における前記画素の行走査とは異なる駆動方法により、前記第１の光電変換部において生成された信号電荷及び前記第２の光電変換部において生成された信号電荷に基づく第３の信号を読み出す撮像装置の駆動方法が提供される。
【手続補正４】
【補正対象書類名】明細書
【補正対象項目名】０００９
【補正方法】変更
【補正の内容】
【０００９】
また、本発明の更に他の一観点によれば、第１の光電変換部と、第２の光電変換部と、前記第１の光電変換部及び前記第２の光電変換部に入射光を集光するマイクロレンズとをそれぞれ含む複数の画素が配された画素アレイと、前記画素アレイの一部に含まれる複数の画素の各々から、前記第１の光電変換部において生成された信号電荷に基づく第１の信号と、少なくとも前記第２の光電変換部において生成された信号電荷に基づく第２の信号とを読み出す第１のフレーム期間と、前記第１のフレーム期間とは別のフレーム期間であって、前記画素アレイの前記一部とは別の一部に含まれるとともに、前記第１のフレーム期間に信号電荷に基づく信号が読み出されない複数の画素の各々から、前記第１の光電変換部において生成された信号電荷及び前記第２の光電変換部において生成された信号電荷に基づく第３の信号を読み出す第２のフレーム期間と、を実行するように構成された走査回路部とを有する撮像装置が提供される。
【手続補正５】
【補正対象書類名】明細書
【補正対象項目名】００１０
【補正方法】変更
【補正の内容】
【００１０】
また、本発明の更に他の一観点によれば、第１の光電変換部と、第２の光電変換部と、前記第１の光電変換部及び前記第２の光電変換部に入射光を集光するマイクロレンズとをそれぞれ含む複数の画素が配された画素アレイと、前記画素アレイの前記複数の画素の各々から、前記第１の光電変換部において生成された信号電荷に基づく第１の信号と、少なくとも前記第２の光電変換部において生成された信号電荷に基づく第２の信号とをそれぞれ読み出す第１のフレーム期間と、前記第１のフレーム期間とは別のフレーム期間に、前記画素アレイの前記複数の画素の各々から、前記第１のフレーム期間における前記画素の行走査とは異なる駆動方法により、前記第１の光電変換部において生成された信号電荷及び前記第２の光電変換部において生成された信号電荷に基づく第３の信号を読み出す第２のフレーム期間と、を実行するように構成された走査回路部とを有する撮像装置が提供される。